(57)【特許請求の範囲】
【請求項１】
液晶パネルの裏面側に近接配置されて、前記液晶パネルを照明する導光体構造であって、
前記液晶パネルの裏面から立ち上がる方向に鉛直に延びた、照明光が入光される入光部と、
前記入光部と連続して形成された、前記入光部を前記液晶パネルに沿う方向に屈曲させた屈曲部と、
前記屈曲部と連続して形成された、前記液晶パネルに沿って前記照明光を導光させるとともに、前記照明光の一部を前記液晶パネルの裏面に向けて出射する導光体本体部と、を有し、
前記導光体本体部の前記液晶パネルと近接しない側の表面に、前記導光体本体部の延伸方向に沿って、前記屈曲部と隣接する、シボを備えた第１シボ領域と、前記第１シボ領域と隣接する、前記第１シボ領域よりも細かいシボを備えた第２シボ領域と、を形成し、
前記導光体本体部の前記液晶パネルと近接しない側の表面に、前記導光体本体部の延伸方向に沿って、前記第１シボ領域と前記第２シボ領域とが交互に形成されることを特徴とする導光体構造。
【請求項２】
前記屈曲部から見て最初に形成される前記第２シボ領域は、前記導光体本体部の延伸方向に沿う中心線上よりも、前記導光体本体部の幅方向の両端部において、より長い範囲に亘って形成されることを特徴とする請求項１に記載の導光体構造。
【発明の詳細な説明】
【技術分野】
【０００１】
本発明は、車両の速度計やタコメータ等の計器の照明に利用される導光体構造に関するものである。
【背景技術】
【０００２】
車両の表示器として広く用いられている液晶パネルは、一般に、照明光を液晶パネルの裏面側から照射する、バックライト照明と呼ばれる方法で照明されている。
【０００３】
バックライト照明を実現する方法の一つとして、液晶パネルの裏面に設置した導光板の内部に入射部から照明光を入射して、入射された照明光を導光板全体に導光しながら、一部の照明光をバックライトとして外部に出射させて、液晶パネルを照明する表示装置が提案されている（例えば、特許文献１参照）。
【先行技術文献】
【特許文献】
【０００４】
【特許文献１】特開２０１３−１７０９９８号公報
【発明の概要】
【発明が解決しようとする課題】
【０００５】
しかしながら、特許文献１に記載された発明によると、導光板の中を進行する光は、入射部からの距離に応じて徐々に減衰する。したがって、入射部から距離が遠い位置ほど、導光板から出射する光の量が少なくなり、液晶パネルに届く照明光が少なくなってしまうため、入射部からの距離によって照明光の明るさが不均一になってしまうという問題があった。
【０００６】
本発明は上記事情に鑑みなされたもので、入射部からの距離によらずに、均一な明るさでバックライト照明を行うことができる導光体構造を提供することを目的とする。
【課題を解決するための手段】
【０００７】
本発明に係る導光体構造は、導光体に入射された光を導光体の奥まで導光しつつ、導光された光の一部を外部に出射することによって、均一なバックライト照明を得るものである。
【０００８】
すなわち、本発明に係る導光体構造は、液晶パネルの裏面側に近接配置されて、前記液晶パネルを照明する導光体構造であって、前記液晶パネルの裏面から立ち上がる方向に鉛直に延びた、照明光が入光される入光部と、前記入光部と連続して形成された、前記入光部を前記液晶パネルに沿う方向に屈曲させた屈曲部と、前記屈曲部と連続して形成された、前記液晶パネルに沿って前記照明光を導光させるとともに、前記照明光の一部を前記液晶パネルの裏面に向けて出射する導光体本体部と、を有し、前記導光体本体部の前記液晶パネルと近接しない側の表面に、前記導光体本体部の延伸方向に沿って、前記屈曲部と隣接する、シボを備えた第１シボ領域と、前記第１シボ領域と隣接する、前記第１シボ領域よりも細かいシボを備えた第２シボ領域と、を形成し、前記導光体本体部の前記液晶パネルと近接しない側の表面に、前記導光体本体部の延伸方向に沿って、前記第１シボ領域と前記第２シボ領域とが交互に形成されることを特徴とする。
【０００９】
このように構成された導光体構造によれば、前記構成としたことによって、導光体本体部を導光する照明光を、第１シボ領域に形成されたシボによって広範囲に散乱させるとともに、第１シボ領域に隣接する第２シボ領域に形成されたより細かいシボによって、照明光を減衰させずに導光体本体部のより奥まで導光するため、導光体本体部から出射する照明光の輝度むらを低減して輝度を均一化することができる。
【発明の効果】
【００１０】
本発明に係る導光体構造によれば、入光部からの距離によらず、均一な明るさを有するバックライト照明が得られる。
【図面の簡単な説明】
【００１１】
【図１】本発明に係る導光体を適用した車両用表示装置の構成を示す分解斜視図である。
【図２】本発明の実施例１における導光体本体の構造を示す上面図と側面図である。
【図３】本発明の実施例１において導光体本体の下面に形成するシボ領域の範囲を示す下面図と、導光体本体における照明光の挙動を示す断面図である。
【図４】本発明の実施例２における導光体本体の構造を示す上面図と側面図である。
【図５】本発明の実施例２において導光体本体の下面に形成するシボ領域の範囲を示す下面図と、導光体本体における照明光の挙動を示す断面図である。
【発明を実施するための形態】
【００１２】
以下、本発明に係る導光体構造を適用した車両用表示装置の具体的な第１の実施例について、図面を参照して説明する。
【実施例１】
【００１３】
本発明を適用した車両用表示装置１０は、車両（非図示）の車室内に、運転者が視認できる位置に設置されており、図１に示すように、ハウジング１２の凹部１３に収容された、燃費情報や走行距離情報等の車両情報が表示される液晶パネル２４と、凹部１４に収容された、車両のエンジン回転数を表示するタコメータ１６と、凹部１５に収容された、車両の速度を表示する速度計１７を備えている。
【００１４】
液晶パネル２４の裏面側には、液晶パネル２４を裏面から照明する導光体２０ａと、導光体２０ａから出射した光の方向を揃えて輝度を向上させる輝度上昇シート２２が近接設置されている。導光体２０ａの一端は液晶パネル２４の裏面側に向けて屈曲しており、その端部には、基板に等間隔に実装された複数のＬＥＤ４０が設置されている。ＬＥＤ４０から出射した光は、導光体２０ａの内部に入射して導光体２０ａの内部を導光されつつ、一部の光は外部に出射して、液晶パネル２４を裏面から照明する。その際の光の挙動については後述する。なお、ＬＥＤ４０と導光体２０ａは、ともに凹部１３に収容される。
【００１５】
ハウジング１２の裏面側には、タコメータ１６，速度計１７，液晶パネル２４を制御する回路基板１８が設置されている。なお、図１には、ＬＥＤ４０が基板に実装された例を図示したが、ＬＥＤ４０は回路基板１８に実装して、導光体２０ａに照明光を入射する構成としてもよい。
［導光体の構造の説明］
【００１６】
図２は、導光体２０ａの外観を示す上面図と側面図である。
【００１７】
導光体２０ａは、透光性を有する、例えばポリカーボネイト等の樹脂材料で形成されており、非図示の複数のＬＥＤ４０（図１参照）から出射した照明光をそれぞれ入射する入光部３０ａと、導光体２０ａを略等しい厚さのまま屈曲させた、表裏面とも平滑面からなる屈曲部３２ａと、屈曲部３２ａと連続して形成された等厚平板状の導光体本体部３４ａとからなる。なお、この屈曲部３２ａは、複数のＬＥＤ４０を、図１に示した凹部１３に収容するために設けられている。
【００１８】
導光体本体部３４ａの上面３６ａ側には、図１に示したように、輝度上昇シート２２と液晶パネル２４が配置される。なお、入光部３０ａは液晶パネル２４の裏面から立ち上がる方向に鉛直に延びている。
【００１９】
導光体本体部３４ａの下面３８ａには、図３に示す第１シボ領域５０ａと第２シボ領域５２ａがそれぞれ形成されている。各シボ領域の構造については後述する。
［導光体内部における光の挙動の説明］
【００２０】
図３を用いて、導光体２０ａの内部を導光する光の挙動について説明する。なお、図３は、導光体２０ａを下面３８ａ側から見た下面図と、導光体２０ａを、幅方向の中心線の位置（切断線Ａ−Ａ）で切った断面図である。
【００２１】
入光部３０ａには、３個のＬＥＤ４０ａ，４０ｂ，４０ｃが等間隔に設置されているが、図３の断面図には、中央に配置されたＬＥＤ４０ｂから出射する主光線Ｌ１（照明光）の光路のみを示す。主光線Ｌ１は、ＬＥＤ４０ｂが出射する所定の広がりを持った光束の中で中心にある光線を表す。
【００２２】
ＬＥＤ４０ｂから出射した主光線Ｌ１（照明光）は、屈曲部３２ａの表面上の点Ｐ１，導光体本体部３４ａの上面３６ａ上の点Ｐ２，導光体本体部３４ａの下面３８ａ上の点Ｐ３でそれぞれ反射しながら、導光体本体部３４ａの内部を導光する。
【００２３】
ここで、導光体本体部３４ａの上面３６ａは平滑面となっており、導光体本体部３４ａの内部を導光して上面３６ａに到達した光のうち、全反射条件を満足する光は導光体本体部３４ａの内部に向かって反射する。また、全反射条件を満足しない光は、屈折の法則に従う方向に屈折して外部に出射する。
【００２４】
また、導光体２０ａの下面３８ａには、点Ｐ２に対向する位置を含む領域に第１シボ領域５０ａが形成されている。さらに、点Ｐ３が存在する位置を含む領域に第２シボ領域５２ａが形成されている。第１シボ領域５０ａは、導光体本体部３４ａの幅方向（図３の紙面上下方向）に亘って等しい領域長ｄ１の範囲に形成される。
【００２５】
導光体本体部３４ａの下面３８ａのうち、第１シボ領域５０ａに対応する領域にはシボ加工が施されて、濃い（深い、粗い、径が大きい）シボが形成されている。シボ加工は梨時処理とも呼ばれ、表面に微細な凹凸を形成する表面加工法である。この加工は、一般に、エアーブラスト装置（サンドブラスト装置）によって行われる。
【００２６】
導光体２０ａは、加熱溶融された樹脂材料を金型内に射出注入して冷却、固化させる、いわゆる射出成型によって一体成形されるが、シボ加工は金型の表面に対して行われる。シボ加工の程度は、表面に施す凹凸の濃さ，深さ，粗さ，径の大きさによって表される。例えば、粗いビーズを吹き付けると、濃く，深く，粗く，径の大きいシボが形成される。一方、細かいビーズを吹き付けると、薄く，浅く，細かく，径の小さいシボが形成される。ビーズの粗さ，吹き付け時間，吹き付け圧を調整することによって、形成されるシボの性状を調整することができる。
【００２７】
導光体本体部３４ａの下面３８ａにこのようなシボ加工を施すと、導光体本体部３４ａの内部を導光された光線のうち、下面３８ａで全反射する光線の量と、下面３８ａで拡散反射する光線の量を変化させることができる。このようにして、下面３８ａで拡散反射した光線の一部は、上面３６ａから外部に出射して、図１に示した輝度上昇シート２２を通過して液晶パネル２４の裏面に向かう。
【００２８】
輝度上昇シート２２は、微小なプリズムが敷き詰められた構造を有しており、入射した光線の向きを揃えることによって輝度を上昇させる機能を有している。こうして輝度上昇シート２２を通過した照明光は、図１に示した液晶パネル２４を裏面側から照明する。
【００２９】
第１シボ領域５０ａは、屈曲部３２ａから導光体本体部３４ａに進入した光線が届きにくい領域に形成される。そして、第１シボ領域５０ａには、濃い（深い、粗い、径が大きい）シボを形成することによって、第１シボ領域５０ａに到達した光線を、できるだけ広い範囲に拡散反射させる。なお、第１シボ領域５０ａの形成範囲である領域長ｄ１の値は、導光体２０ａの材質，延伸方向の長さ，ＬＥＤ４０ａ，４０ｂ，４０ｃのレイアウト等を勘案して決定する。また、第１シボ領域５０ａに形成するシボの性状は、光線追跡等のシミュレーションを行って、適宜決定される。
【００３０】
第２シボ領域５２ａは、第１シボ領域５０ａに隣接する位置に形成される。第２シボ領域５２ａには、第１シボ領域５０ａに形成されたシボよりも薄い（浅い、細かい、径が小さい）シボが形成される。
【００３１】
この第２シボ領域５２ａは、図３の点Ｐ３に代表されるように、ＬＥＤ４０ｂから出射した主光線Ｌ１（照明光）が集まりやすい領域に形成される。したがって、第２シボ領域５２ａに薄い（浅い、細かい、径が小さい）シボを形成することによって、主光線Ｌ１を拡散させつつ、光の減衰をできるだけ抑えて、主光線Ｌ１を導光体本体部３４ａのより奥まで導光させることができる。なお、第２シボ領域５２ａに形成するシボの性状は、光線追跡等のシミュレーションを行って決定する。
【００３２】
第２シボ領域５２ａで拡散された光線の一部は、上面３６ａから外部に出射して、図１に示した輝度上昇シート２２を通過して、図１の液晶パネル２４を裏面側から照明する。
【００３３】
このようにして、導光体本体部３４ａの下面３８ａ上に第１シボ領域５０ａと第２シボ領域５２ａを形成することによって、液晶パネル２４を均一な輝度で照明することが可能なバックライト照明を得ることができる。
【００３４】
以下、本発明に係る導光体構造を適用した車両用表示装置の具体的な第２の実施例について、図面を参照して説明する。
【実施例２】
【００３５】
本実施例２は、実施例１で説明した導光体２０ａ（図３）に代わって、図４に示す、延伸方向により長い導光体２０ｂを用いた例である。
［導光体の構造の説明］
【００３６】
図４は、導光体２０ｂの外観を示す上面図と側面図である。
【００３７】
導光体２０ｂは、透光性を有する、例えばポリカーボネイト等の樹脂材料で形成されており、複数のＬＥＤ４２（図５参照）から出射した照明光をそれぞれ入射する入光部３０ｂと、導光体２０ｂを略等しい厚さのまま屈曲させた、表裏面とも平滑面からなる屈曲部３２ｂと、屈曲部３２ｂと連続する、等厚に形成されて、延伸方向奥側の領域で厚さが連続的に減少する、平板状の導光体本体部３４ｂとからなる。なお、この屈曲部３２ｂは、複数のＬＥＤ４２を、図１に示した凹部１３に収容するために設けられている。
【００３８】
導光体本体部３４ｂの上面３６ｂ側には、図１に示したように、輝度上昇シート２２と液晶パネル２４が配置される。
【００３９】
導光体本体部３４ｂの上面３６ｂは平滑面となっており、導光体本体部３４ｂの内部を導光して上面３６ｂに到達した光のうち、全反射条件を満足する光は導光体本体部３４ｂの内部に向かって反射する。また、全反射条件を満足しない光は、屈折の法則に従う方向に屈折して外部に出射する。
【００４０】
また、導光体本体部３４ｂの下面３８ｂには、図５に示す第１シボ領域５０ｂ，第２シボ領域５２ｂ，第１シボ領域５４ｂ，第２シボ領域５６ｂ，第１シボ領域５８ｂがそれぞれ形成されている。各シボ領域の構造については後述する。
［導光体内部における光の挙動の説明］
【００４１】
図５を用いて、導光体２０ｂの内部を導光する光の挙動について説明する。なお、図５は、導光体２０ｂを下面３８ｂ側から見た下面図と、導光体２０ｂを、幅方向の中心線の位置（切断線Ｂ−Ｂ）で切った断面図である。
【００４２】
入光部３０ｂには、６個のＬＥＤ４２ａ，４２ｂ，４２ｃ，４２ｄ，４２ｅ，４２ｆが等間隔に設置されているが、図５の断面図には、中央付近に配置されたＬＥＤ４２ｄから出射する主光線Ｌ２（照明光）の光路のみを示す。主光線Ｌ２は、ＬＥＤ４２ｄが出射する所定の広がりを持った光束の中で中心にある光線を表す。
【００４３】
ＬＥＤ４２ｄから出射した主光線Ｌ２（照明光）は、屈曲部３２ｂの表面上の点Ｐ４、導光体本体部３４ｂの上面３６ｂ上の点Ｐ５，導光体本体部３４ｂの下面３８ｂ上の点Ｐ６，導光体本体部３４ｂの上面３６ｂ上の点Ｐ７，導光体本体部３４ｂの下面３８ｂ上の点Ｐ８，導光体本体部３４ｂの上面３６ｂ上の点Ｐ９，導光体本体部３４ｂの下面３８ｂ上の点Ｐ１０でそれぞれ反射を繰り返しながら、導光体本体部３４ｂの内部を導光する。
【００４４】
導光体２０ｂの下面３８ｂには、点Ｐ５に対向する位置を含む領域に第１シボ領域５０ｂが形成されている。この第１シボ領域５０ｂは、屈曲部３２ｂから導光体本体部３４ｂに進入した光線が届きにくい領域に形成される。そして、第１シボ領域５０ｂには、濃い（深い、粗い、径が大きい）シボを形成することによって、第１シボ領域５０ｂに到達した光線を、できるだけ広い範囲に拡散反射させる。この第１シボ領域５０ｂは、導光体本体部３４ｂの幅方向（図５の紙面上下方向）に亘って等しい領域長ｄ１の範囲に形成される。
【００４５】
導光体２０ｂの下面３８ｂには、第１シボ領域５０ｂに隣接した位置に第２シボ領域５２ｂが形成されている。この第２シボ領域５２ｂには、薄い（浅い、細かい、径が小さい）シボが形成される。
【００４６】
第２シボ領域５２ｂの形成範囲は、図５の点Ｐ６に代表されるように、ＬＥＤ４２ｄから出射した主光線Ｌ２（照明光）が集まりやすい領域とされる。そして、第２シボ領域５２ｂに薄い（浅い、細かい、径が小さい）シボを形成することによって、主光線Ｌ２を拡散させつつ、光の減衰をできるだけ抑えて、主光線Ｌ２を導光体本体部３４ｂのより奥まで導光させることができる。
【００４７】
なお、屈曲部３２ｂから見て最初に形成される第２シボ領域５２ｂは、導光体２０ｂの幅方向（図５の紙面上下方向）に亘って異なる領域長ｄ２の範囲に形成される。すなわち、導光体２０ｂの幅方向の中心線（切断線Ｂ−Ｂの位置）に沿う位置において領域長ｄ２は最も短く設定される。
【００４８】
そして、導光体２０ｂの幅方向端部に至るに従って、領域長ｄ２は長くなるように設定される。これは、導光体２０ｂの側端面３９ｂに到達した光の一部は側端面３９ｂで反射して導光体本体部３４ｂの内部に戻されるため、入光部３０ｂから所定の距離範囲にあっては、導光体２０ｂの側端面３９ｂ付近に光が集中する領域が発生するためである。したがって、第２シボ領域５２ｂの側端面３９ｂ付近では、中心付近よりも領域長ｄ２を長く設定して、集中した光の導光を促して、導光体本体部３４ｂのより奥まで導く。
【００４９】
図５の例では、領域長ｄ２が導光体２０ｂの幅方向両側端面に向かって逆円弧状に増加して、その後は一定の長さとなるように設定されている。なお、この変化形態は図５の例に限定されるものではなく、光線追跡等のシミュレーションを行って、適切な変化形態（領域長ｄ２を直線状、あるいは２次曲線状に変化させる等）を設定すればよい。
【００５０】
導光体２０ｂの下面３８ｂには、第２シボ領域５２ｂに隣接した位置に第１シボ領域５４ｂが形成される。この第１シボ領域５４ｂには、濃い（深い、粗い、径が大きい）シボが形成される。
【００５１】
第１シボ領域５４ｂは、第２シボ領域５２ｂに隣接する、主光線Ｌ２（照明光）が導光体本体部３４ｂの下面３８ｂに到達しにくい領域に、領域長ｄ３の範囲に亘って設定される。第１シボ領域５４ｂに到達した光線は、広い範囲に拡散反射される。なお、領域長ｄ３は、第２シボ領域５２ｂを形成したことによって、幅方向に亘って生じた、図５における第２シボ領域５２ｂの右方位置の不揃いを補正するように設定される。すなわち、領域長ｄ３は、導光体２０ｂの幅方向の中心線（切断線Ｂ−Ｂの位置）に沿う位置において最も長く、導光体本体部３４ｂの幅方向両端部に至るにしたがって短くなるように設定される。これにより、図５における第１シボ領域５４ｂの右方位置は、導光体本体部３４ｂの幅方向に亘って一定の位置となる。
【００５２】
さらに、導光体２０ｂの下面３８ｂには、第１シボ領域５４ｂに隣接した位置に第２シボ領域５６ｂが形成される。この第２シボ領域５６ｂには、薄い（浅い、細かい、径が小さい）シボが形成される。
【００５３】
第２シボ領域５６ｂは、第１シボ領域５４ｂに隣接する領域に、光の減衰を防止して、光線をより奥まで導光するために、領域長ｄ４の範囲に亘って設定される。第２シボ領域５６ｂに到達した光線は、減衰が抑えられて、導光体本体部３４ｂのより奥まで導光される。
【００５４】
また、導光体２０ｂの下面３８ｂには、第２シボ領域５６ｂに隣接した位置に第１シボ領域５８ｂが形成される。この第５シボ領域５８ｂには、濃い（深い、粗い、径が大きい）シボが形成される。
【００５５】
第１シボ領域５８ｂは、第２シボ領域５６ｂに隣接する領域に、領域長ｄ５の範囲に亘って設定される。第１シボ領域５８ｂに到達した光線は、広い範囲に拡散反射される。
【００５６】
なお、第１シボ領域５４ｂ，第２シボ領域５６ｂ，第１シボ領域５８ｂが形成された範囲は、導光体本体部３４ｂの厚さを、奥側に向かって徐々に薄くすることにより、導光される光量が減少した場合であっても、導光体本体部３４ｂの奥まで確実に光を導く構成とされている。
【００５７】
このように形成された第１シボ領域５０ｂ，５４ｂ，５８ｂ、および第２シボ領域５２ｂ，５６ｂに到達した光は、それぞれ、各シボ領域に形成されたシボの性状に応じて拡散反射して、一部の光は上面３６ｂから外部に出射する。そして、図１に示した輝度上昇シート２２を通過して、液晶パネル２４を裏面側から均一な輝度で照明する。
【００５８】
なお、第１シボ領域５０ｂ，５４ｂ，５８ｂ、および第２シボ領域５２ｂ，５６ｂに形成するシボの性状は、実施例１で説明した通り、シボの加工方法によって調整することができる。また、同じ第１シボ領域５０ｂ，５４ｂ，５８ｂの中でも、シボの性状を変更してもよいし、同じ第２シボ領域５２ｂ，５６ｂの中でも、シボの性状を変更してもよい。
【００５９】
以上、説明したように、実施例１に係る導光体２０ａによれば、液晶パネル２４の裏面から立ち上がる方向に鉛直に延びた入光部３０ａと連続して形成されて、液晶パネル２４に沿う方向に屈曲した屈曲部３２ａと連続する導光体本体部３４ａの、液晶パネル２４と近接しない側の表面（下面３８ａ）に、屈曲部３２ａと隣接する領域にシボを備えた第１シボ領域５０ａを形成した。さらに、導光体本体部３４ａの延伸方向に沿って、第１シボ領域５０ａと隣接する領域に、第１シボ領域５０ａよりも細かいシボを備えた第２シボ領域５２ａを形成した。したがって、入光部３０ａから入射した照明光は、第１シボ領域５０ａに形成されたシボによって広範囲に散乱される。また、第１シボ領域５０ａに隣接する第２シボ領域５２ａに形成されたより細かいシボによって、照明光は散乱されるとともに、減衰されずに導光体本体部３４ａのより奥まで導光される。そのため、散乱した光を導光体本体部３４ａの上面３６ａから均一な輝度で出射させることができる。したがって、ＬＥＤ４０ｂに流す電流値を大きくして光量をアップさせることなく、液晶パネル２４を均一に照明することができるため、消費電力を低減することができる。
【００６０】
また、実施例２に係る導光体２０ｂによれば、導光体本体部３４ｂの液晶パネル２４と近接しない側の表面（下面３８ｂ）に、導光体本体部３４ｂの延伸方向に沿って、第１シボ領域５０ｂ，５４ｂ，５８ｂと第２シボ領域５２ｂ，５６ｂが交互に形成されるため、導光体本体部３４ｂの延伸方向の長さが長い場合であっても、導光体本体部３４ｂの奥まで、照明光を確実に導光することができるとともに、導光体本体部３４ｂから均一な光を出射させることができる。
【００６１】
さらに、実施例２に係る導光体２０ｂによれば、第１シボ領域５０ｂ，５４ｂ，５８ｂと第２シボ領域５２ｂ，５６ｂの繰り返し回数は、導光体本体部３４ｂの延伸方向の長さと、ＬＥＤ４２ｄから出射して導光体本体部３４ｂの内部を導光する主光線Ｌ２（照明光）が、導光体本体部３４ｂの上面３６ｂおよび下面３８ｂへ到達する位置（点Ｐ５，Ｐ６，Ｐ７，Ｐ８，Ｐ９，Ｐ１０）と、に基づいて決定されるため、導光体本体部３４ｂの延伸方向の長さによらずに、均一なバックライト照明を得ることができる。
【００６２】
そして、実施例２に係る導光体２０ｂによれば、屈曲部３２ｂ側から見て最初に形成される第２シボ領域５２ｂの領域長ｄ２は、導光体本体部３４ｂの延伸方向に沿う切断線Ｂ−Ｂ（中心線）上よりも、導光体本体部３４ｂの側端面３９ｂの近傍において、より長い範囲に亘って形成されるため、導光された光が導光体本体部３４ｂの側端面３９ｂにおいて導光体本体部３４ｂの内部に向かって反射した光も導光体本体部３４ｂのより奥まで導光するため、導光体本体部３４ｂの延伸方向のみならず、幅方向についても輝度の均一化を図ることができる。
【００６３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【００６４】
例えば、実施例１において、第２シボ領域５２ａは導光体本体部３４ａの下面３８ａの幅方向に亘って等しい長さで形成したが、これは、実施例２で説明したように、導光体本体部３４ａの幅方向両端部に向かって長くなるように形成してもよい。詳しくは、導光体本体部３４ａの長さや材質、照明光を出射するＬＥＤのレイアウトや個数等を勘案して決定される。
【００６５】
なお、本発明の構造を有する導光体２０ａ，２０ｂは、実施例で説明した液晶パネル２４のバックライト照明以外にも、例えば、文字板の目盛を透過照明する導光体としても用いることができる。
【符号の説明】
【００６６】
２０ａ・・・・・導光体
３０ａ・・・・・入光部
３２ａ・・・・・屈曲部
３４ａ・・・・・導光体本体部
３６ａ・・・・・上面
３８ａ・・・・・下面
４０，４０ａ，４０ｂ，４０ｃ・・・ＬＥＤ
５０ａ・・・・・第１シボ領域
５２ａ・・・・・第２シボ領域
ｄ１・・・・・・領域長
Ｌ１・・・・・・主光線（照明光）
【図１】
0006415348.tif 000002
【図２】
0006415348.tif 000003
【図３】
0006415348.tif 000004
【図４】
0006415348.tif 000005
【図５】
0006415348.tif 000006